(57)【要約】  【課題】  光ディスク装置の光ピックアップ送り機構部の潤滑油飛散を防止する技術の提供。  【解決手段】  光ピックアップの基台部側に結合かつリードスクリュー部材に係合され、該光ピックアップとともに移動しながら該リードスクリュー部材の回転に基づく移動力を光ピックアップ側に伝えるラック部材を、上記移動力を光ピックアップ側に伝える第１の部分と、光ピックアップの移動を案内するガイド部材の光ディスク面側及びリードスクリュー部材側を覆う第２の部分とを有して成る構成とする。【選択図】  図２
2006040475.tif 000002
【特許請求の範囲】
【請求項１】
光ディスクの半径方向に光ピックアップを移動させ情報の記録、再生のいずれか一方または両方を行う光ディスク装置であって、
上記光ピックアップの基台部に係合し該光ピックアップの上記ディスク半径方向への移動を案内するガイド部材と、
上記ガイド部材に平行に配され、表面に送りねじが設けられ、回転により上記光ピックアップ側に移動力を伝えるリードスクリュー部材と、
上記リードスクリュー部材の上記送りねじに係合し上記移動力を光ピックアップ側に伝える第１の部分と、上記ガイド部材の上記光ディスク面側及び上記リードスクリュー側を覆う第２の部分とを有して成り、上記光ピックアップの上記基台部側に結合され該光ピックアップとともに移動するラック部材と、
上記リードスクリュー部材を回転させる送りモータと、
を備えた構成を特徴とする光ディスク装置。
【請求項２】
上記ラック部材は、上記第２の部分が、上記ガイド部材の、上記基台部に係合された係合部間領域を覆う構成である請求項１に記載の光ディスク装置。
【請求項３】
上記ラック部材は、上記第１の部分と上記第２の部分とが一体状に結合された構成である請求項１または請求項２に記載の光ディスク装置。
【発明の詳細な説明】
【技術分野】
【０００１】
本発明は、光ディスク装置に係り、特に、光ピックアップの送り機構部における潤滑油の滴下や飛散による光ディスク面や装置内の汚染を防止する技術に関する。
【背景技術】
【０００２】
本発明に関連した従来技術としては、例えば特開平１１−１７６１１５号公報（特許文献１）に記載されたものがある。該公報には、情報記憶装置において、駆動系のグリス飛散の防止、ガイドシャフトへのゴミの付着防止及びトラバースモータの放熱と振動の減衰を行い、安定した高速シークを行えるようにするために、トラバースモータ、リードスクリューを支持するアングルに、ガイドシャフトをカバーするカバー部を設け、該カバー部において、該アングルをシャーシ側の取付け部に固定するとした構成が記載されている。
【０００３】
【特許文献１】特開平１１−１７６１１５号公報
【発明の開示】
【発明が解決しようとする課題】
【０００４】
上記公報記載の技術は、トラバースモータ、リードスクリューを支持する固定式のアングルにカバー部を設けるものであるため、該カバー部の寸法が大型化し易いため、光ピックアップ送り機構部の寸法が増大し易い。装置全体の寸法も増大し易くなる。
本発明の課題点は、上記従来技術の状況に鑑み、光ディスク装置において、光ピックアップ送り機構部の寸法増大を抑えた状態で、該送り機構部の潤滑油の滴下や飛散による光ディスク面や光ディスク装置の汚染を防止できるようにすることである。
本発明の目的は、かかる課題点を解決し、光ディスク装置において、コンパクトな構成下で、光ピックアップの送り機構部の潤滑油による汚染を防止可能な技術を提供することにある。
【課題を解決するための手段】
【０００５】
上記課題点を解決するために、本発明では、光ディスク装置において、光ピックアップの基台部側に結合かつリードスクリュー部材に係合され、該光ピックアップとともに移動しながら該リードスクリュー部材の回転に基づく移動力を光ピックアップ側に伝えるラック部材を、上記移動力を光ピックアップ側に伝える第１の部分と、光ピックアップの移動を案内するガイド部材の光ディスク面側及びリードスクリュー部材側を覆う第２の部分とを有して成る構成とする。
【発明の効果】
【０００６】
本発明によれば、光ディスク装置において、コンパクトな構成下で、光ピックアップ送り機構部の潤滑油による汚染を防止することができる。
【発明を実施するための最良の形態】
【０００７】
以下、本発明を実施するための最良の形態につき、図面を用いて説明する。
図１〜図５は、本発明の実施例の説明図である。図１は、本発明の実施例としての光ディスク装置の構成例図、図２は、図１の光ディスク装置に用いた光ピックアップ送り機構部の構成図、図３は、図２の構成においてラック部材を除いたときの状態を示す図、図４は、図２の構成のラック部材部の要部側面図、図５は、本発明の効果を説明するための光ピックアップ送り機構部の構成例図である。
【０００８】
図１において、１は、光ディスク（図示なし）の情報記録面にレーザ光を照射したり、反射光を受光したりして、該情報記録面に対し信号の記録や再生を行う光ピックアップ、１ａは、光ピックアップ１全体を支える光ピックアップ１の基台部、１ｂは、レーザ光をディスク記録面に照射するとともに反射レーザ光を取込む対物レンズ、２は、搭置された光ディスク（図示なし）を回転させるターンテーブル、３は、回転により光ピックアップ１を光ディスク半径方向に移動させるリードスクリュー部材、４は、リードスクリュー部材３を回転駆動する送りモータ、５は、光ピックアップ１の光ディスク半径方向の移動を案内する直線棒状のガイド部材、６は、リードスクリュー部材３の送りねじの溝に係合するラック部材、６ａは、ラック部材６においてリードスクリュー部材３の上記送りねじに係合し上記移動力を光ピックアップ１側に伝える第１の部分（ラック部材６の第１の部分）、６ｂは、同じくラック部材６において、上記ガイド部材５の、光ディスク面側及びリードスクリュー部材３側を該ガイド部材５から離間した位置で覆う第２の部分（ラック部材６の第２の部分）、７は、ラック部材６を付勢する弾性部材としてのばね、８はシャーシ、９は、装置の配線パターンが設けられ、外部との電気的接続を行うためのフレキシブル基板である。
【０００９】
リードスクリュー部材３は、ガイド部材５と平行に配され、該リードスクリュー部材３の表面に設けた送りねじの溝には、ラック部材６の第１の部分６ａの先端部の突起部が、ばね７の弾性復元力で付勢された状態で係合されている。基台部１ａは、ガイド部材５の長手方向に沿った該基台部１ａの２つの係合部１ａ１、１ａ２で該ガイド部材５に係合されている。ガイド部材５と、リードスクリュー部材３と、２つの係合部１ａ１、１ａ２でガイド部材５に係合する基台部１ａと、ラック部材６と、送りモータ４とが、光ピックアップ１の送り機構部（光ピックアップ送り機構部）を構成している。
【００１０】
ラック部材６は、その第１の部分６ａと第２の部分６ｂとがプラスチック成形等により一体化されて成る構成を有し、該ラック部材６は、上記光ピックアップ１の基台部１ａに対してビス等により結合（固定）されている。ラック部材６の上記第２の部分６ｂは、光ピックアップ１の送り機構部（光ピックアップ送り機構部）において、ガイド部材５の表面や基台部１ａの２つの係合部１ａ１、１ａ２とガイド部材５との間の角部等に存在するグリス等の潤滑油が、光ディスク面側やリードスクリュー部材３側に飛散するのを防止するために設ける。基台部１ａがガイド部材５に対し該ガイド部材５の長手方向に対し複数の係合部（本実施例では２つの係合部１ａ１、１ａ２）で係合される構成の場合、該基台部１ａのガイド部材５に対する移動により、潤滑油は、該ガイド部材５表面と該複数の係合部との間の角部に溜まり易い。例えば、光ディスク装置の輸送時には、潤滑油に対して振動や衝撃力等が働くため、該潤滑油は、上記ガイド部材５表面や上記角部から光ディスク面側やリードスクリュー部材３側に向かって滴下または飛散しようとする。上記ラック部材６に上記第２の部分６ｂがない場合には、光ディスク面側に滴下または飛散した潤滑油はディスク記録面を汚染し、光ピックアップ１による信号の読み取りや書き込みを不良にし、リードスクリュー部材３側に滴下または飛散した潤滑油は、装置内を汚染しごみや塵埃などの付着を増大させ汚染を促進する。ラック部材６の該第２の部分６ｂは、例えばＬ字状の断面形状を有し、上記潤滑油の上記光ディスク面側やリードスクリュー部材３側への上記滴下や飛散を途中で食い止めて（防止して）、光ディスク面や装置内の汚染を防ぐ。
以下、図２〜図５の説明中で用いる図１の構成要素には、図１の場合と同じ符号を付すものとする。
【００１１】
図２は、図１の光ディスク装置に用いた光ピックアップ送り機構部の構成図である。
光ピックアップ１の基台部１ａは、ガイド部材５の長手方向に沿った２つの係合部１ａ１、１ａ２で該ガイド部材５に係合し、ラック部材６の第１の部分６ａを介してリードスクリュー部材３（図１）側から移動力を受け、直線棒状のガイド部材５に案内されて光ピックアップ１全体をディスク半径方向に移動させる。ラック部材６は、ビス１５により基台部１ａに結合（固定）されている。該ラック部材６の第２の部分６ｂは、Ｌ字状の断面を有し、少なくとも上記基台部１ａの２つの係合部１ａ１、１ａ２間において上記ガイド部材５の光ディスク面側及びリードスクリュー部材３（図１）側を覆うようになっている。
【００１２】
図３は、上記図２の構成においてラック部材を除いたときの状態を示す図である。
図３において、該基台部１ａのガイド部材５に対する移動動作等によって、グリス等の潤滑油は、該ガイド部材５表面と該基台部１ａの２つの係合部１ａ１、１ａ２の側面との間の角部２０ａ、２０ｂに溜まり易い。該角部２０ａ、２０ｂに溜まった潤滑油は、光ディスク装置が振動や衝撃力を受けた場合には、該振動や衝撃力の方向に基台部１ａの２つの係合部１ａ１、１ａ２の側面を伝って流れ、装置内の空間に滴下または飛散する。装置内の温度が上昇するなどして潤滑油の粘度が低下している場合には、該滴下または飛散が起き易い。本発明はこれに対しての有効な対策技術である。
【００１３】
図４は、図２の構成におけるラック部材の部分の要部側面図である。
図４において、基台部１ａのガイド部材５への係合部１ａ１、１ａ２の上面（ディスク対向面）にはラック部材６が固定されている。ラック部材６の第１の部分６ａは、上記係合部１ａ１、１ａ２間に設けられ、リードスクリュー部材３側に延びた構成となっている。また、ラック部材６の第２の部分６ｂは、上記第１の部分６ａよりも基台部１ａ側において上記係合部１ａ１、１ａ２間のガイド部材５を覆い、該係合部１ａ１、１ａ２間領域のガイド部材５が、光ディスク３０の記録面３０ａ側やリードスクリュー部材３側に露出されないようにしている。
【００１４】
図５は、第２の部分６ｂを有しないラック部材６を用いた場合の光ピックアップ送り機構部の構成例図である。ガイド部材５表面に潤滑用として塗布されたグリス等の潤滑油は、該ガイド部材５表面と該基台部１ａの２つの係合部１ａ１、１ａ２の側面との間の角部２０ａ、２０ｂ（２０ｂについては図５では図示しないが図３の場合と同じ部分を指すものとする）に溜まり易い。該角部２０ａ、２０ｂに溜まった潤滑油は、上記図３の説明でも述べたように、例えば光ディスク装置が振動や衝撃力を受けた場合には、該振動や衝撃力の方向に基台部１ａの係合部１ａ１、１ａ２の側面を伝って流れ、装置内の空間に滴下または飛散し、光ディスクの記録面や装置内部を汚染する。上記図１〜図４で説明したように、ラック部材６が第２の部分６ｂを備えることで、上記装置内の空間に滴下または飛散した潤滑油を途中の該第２の部分６ｂの位置で食い止めることができ、光ディスクの記録面や装置内部の汚染が防止される。
【００１５】
上記実施例によれば、光ディスク装置において、コンパクトな構成下で、光ピックアップの送り機構部の潤滑油による汚染を防止することができる。
【００１６】
なお、上記実施例では、ラック部材６において第１の部分６ａと第２の部分６ｂとを一体状の構成としたが、本発明はこれに限定されず、該両部分は別個の構体としてもよい。
【図面の簡単な説明】
【００１７】
【図１】本発明の実施例としての光ディスク装置の構成例図である。
【図２】図１の光ディスク装置における光ピックアップ送り機構部の構成例図である。
【図３】図２の構成においてラック部材を除いたときの状態を示す図である。
【図４】図２の構成のラック部材部の要部側面図である。
【図５】本発明の効果を説明するための光ピックアップ送り機構部の構成例図である。
【符号の説明】
【００１８】
１…光ピックアップ、
１ａ…基台部、
１ａ１、１ａ２…係合部、
１ｂ…対物レンズ、
２…ターンテーブル、
３…リードスクリュー部材、
４…送りモータ、
５…ガイド部材、
６…ラック部材、
６ａ…第１の部分、
６ｂ…第２の部分、
７…ばね、
８…シャーシ、
９…フレキシブル基板、
３０…光ディスク。
【図１】
2006040475.tif 000003
【図２】
2006040475.tif 000004
【図３】
2006040475.tif 000005
【図４】
2006040475.tif 000006
【図５】
2006040475.tif 000007